(57)【要約】【課題】水系のインクを用いる場合でも、記録画像の濃度低下を十分に抑制するとともに、凝集剤の使用量を少なくして、凝集剤の必要コストおよび無駄な消費を低減する。【解決手段】インクジェット記録装置は、第１の液滴を記録媒体に向けて吐出する第１の吐出ヘッドと、第１の液滴とは異なる第２の液滴を吐出して、記録媒体に着弾する前の第１の液滴と合体させる第２の吐出ヘッドとを備える。第１の液滴および第２の液滴のうち、一方は水系のインクの液滴であり、他方はインクを凝集させる凝集剤の液滴である。【選択図】図３
2020147000.tif 000002
【特許請求の範囲】
【請求項１】
第１の液滴を記録媒体に向けて吐出する第１の吐出ヘッドと、
第１の液滴とは異なる第２の液滴を吐出して、前記記録媒体に着弾する前の前記第１の液滴と合体させる第２の吐出ヘッドとを備え、
前記第１の液滴および前記第２の液滴のうち、一方は水系のインクの液滴であり、他方は前記インクを凝集させる凝集剤の液滴であることを特徴とするインクジェット記録装置。
【請求項２】
前記第１の液滴は、前記凝集剤の液滴であり、
前記第２の液滴は、前記水系のインクの液滴であることを特徴とする請求項１に記載のインクジェット記録装置。
【請求項３】
前記凝集剤の粘度をＡ（ｍＰａ・ｓ）とし、前記水系のインクの粘度をＢ（ｍＰａ・ｓ）としたとき、
１．５≦Ａ／Ｂ≦３．０
を満足することを特徴とする請求項１または２に記載のインクジェット記録装置。
【請求項４】
第１の吐出ヘッドから第１の液滴を記録媒体に向けて吐出する第１の吐出工程と、
第２の吐出ヘッドから、第１の液滴とは異なる第２の液滴を吐出して、前記記録媒体に着弾する前の前記第１の液滴と合体させる第２の吐出工程とを含み、
前記第１の液滴および前記第２の液滴のうち、一方は水系のインクの液滴であり、他方は前記インクを凝集させる凝集剤の液滴であることを特徴とするインクジェット記録方法。
【発明の詳細な説明】
【技術分野】
【０００１】
本発明は、水系のインクを記録媒体に向けて吐出するインクジェット記録装置およびインクジェット記録方法に関する。
【背景技術】
【０００２】
インクジェット記録装置で吐出材料として用いられるインクには、水系のインクと溶剤系のインクとがある。水系のインクは、溶媒として水を用いたインクであり、溶剤系のインクは、溶媒として有機溶剤を用いたインクである。水を吸収する紙や布などの記録媒体に対しては、水系のインクを用いて画像が記録される。
【０００３】
ところで、水系のインクを用いる場合、記録媒体にインクが着弾すると、インクが広がって記録画像に滲みが発生したり、インクが記録媒体の厚み方向に（奥まで）浸透する。その結果、記録画像の濃度が低下する。そこで、例えば特許文献１では、インクジェット記録装置において、記録媒体の全面に凝集剤を塗布する機構を設置し、上記機構によって凝集剤が塗布された記録媒体にインクを吐出することで、上記の不具合を低減するよう試みている。
【先行技術文献】
【特許文献】
【０００４】
【特許文献１】特開２００１−３５３８６１号公報
【発明の概要】
【発明が解決しようとする課題】
【０００５】
ところが、特許文献１の手法では、以下の問題が生ずる。すなわち、記録媒体の全面に凝集剤を塗布するため、凝集剤の使用量が多く、凝集剤の必要コストが高くつく。また、記録媒体において印字不要な部分にも凝集剤が塗布されるため、凝集剤の無駄な消費量も増大する。さらに、インクが記録媒体に着弾してから凝集が開始されるため、記録媒体においてインクの広がりおよび浸透を抑制する効果が不十分である。その結果、記録画像の濃度低下を十分に抑制することが困難となる。
【０００６】
本発明は、上記問題点に鑑み、水系のインクを用いる場合でも、記録画像の濃度低下を十分に抑制することができるとともに、凝集剤の使用量を少なくして、凝集剤の必要コストおよび無駄な消費を低減することができるインクジェット記録装置およびインクジェット記録方法を提供することを目的とする。
【課題を解決するための手段】
【０００７】
上記目的を達成するために本発明の第１の構成は、第１の液滴を記録媒体に向けて吐出する第１の吐出ヘッドと、第１の液滴とは異なる第２の液滴を吐出して、前記記録媒体に着弾する前の前記第１の液滴と合体させる第２の吐出ヘッドとを備え、前記第１の液滴および前記第２の液滴のうち、一方は水系のインクの液滴であり、他方は前記インクを凝集させる凝集剤の液滴である。
【発明の効果】
【０００８】
第１の液滴（例えば凝集剤の液滴）と第２の液滴（例えば水系のインクの液滴）とを記録媒体への着弾前に合体させることにより、凝集剤による水系のインクの凝集が記録媒体への着弾前に始まる。これにより、水系のインクを用いる場合でも、着弾後の記録媒体におけるインクの広がりおよび浸透を十分に抑制することができ、記録画像の濃度低下を十分に抑制することができる。また、記録媒体において、インクが着弾しない領域に対して凝集剤が着弾することはないため、記録媒体全面に凝集剤を塗布する構成に比べて、凝集剤の使用量を少なくでき、凝集剤の必要コストおよび無駄な消費を低減することができる。
【図面の簡単な説明】
【０００９】
【図１】本発明の一実施形態に係るインクジェット記録装置の概略の構成を示す説明図である。
【図２】上記インクジェット記録装置が備える第１の吐出ヘッドおよび第２の吐出ヘッドの平面図である。
【図３】上記第１の吐出ヘッドおよび上記第２の吐出ヘッドから吐出される各液滴および合体後の液滴の時間経過に伴う位置を模式的に示す説明図である。
【図４】上記第１の吐出ヘッドおよび第２の吐出ヘッドの他の構成を模式的に示す平面図である。
【図５】上記インクジェット記録装置の他の構成を示す説明図である。
【図６】上記インクジェット記録装置のさらに他の構成を示す説明図である。
【発明を実施するための形態】
【００１０】
〔１．インクジェット記録装置の概略の構成〕
以下、図面を参照しながら本発明の実施形態について説明する。図１は、本発明の実施形態に係るインクジェット記録装置１００の概略の構成を示す説明図である。インクジェット記録装置１００は、記録媒体Ｒに向かってインクを直接吐出する、いわゆるダイレクト吐出方式のインクジェットプリンターである。このインクジェット記録装置１００は、繰出部１と、搬送部２と、インクジェット記録部３と、乾燥部４と、回収部５とを備えている。本実施形態では、記録媒体Ｒに吐出するインクとして、水系のインクを用いる。このため、記録媒体Ｒとしては、紙や布などの、水を吸収できる媒体が使用される。
【００１１】
繰出部１は、記録媒体Ｒがロール状に巻かれたロールメディア１０１をモーター（図示せず）により回転させ、ロールメディア１０１から記録媒体Ｒを繰り出す。
【００１２】
搬送部２は、繰出部１から繰り出された記録媒体Ｒを、搬送ベルト２ａに貼り付けて搬送する（ベルト搬送方式）。なお、搬送部２は、記録媒体Ｒをロールによってテンションをかけて搬送してもよい。搬送部２は、インクジェット記録部３と乾燥部４との両方に対向するように設けられているが、インクジェット記録部３に対向する部分と、乾燥部４に対向する部分とで分けて構成されていてもよい。
【００１３】
インクジェット記録部３は、搬送部２によって搬送される記録媒体Ｒにインクを直接吐出することにより、記録媒体Ｒに画像を記録する。なお、インクジェット記録部３の詳細については後述する。
【００１４】
乾燥部４は、搬送部２の搬送面に対向配置されるファン４ａを有している。乾燥部４は、搬送部２の搬送ベルト２ａによって搬送される記録媒体Ｒに向かってファン４ａからの空気流を吹き付けることにより、インクジェット記録部３から吐出された記録媒体Ｒ上のインクを乾燥させる。なお、乾燥部４によるインクの乾燥は、必要に応じて（例えば用いるインクに応じて）行われればよい。
【００１５】
回収部５は、インクジェット記録部３によってインクが吐出され、乾燥部４によってインクが乾燥された記録媒体Ｒをロール状に巻き取って回収し、ロール状の記録済みメディア１０２を得る。
【００１６】
〔２．インクジェット記録部の詳細〕
インクジェット記録部３は、第１の吐出ヘッド３１と、第２の吐出ヘッド３２とを有している。第１の吐出ヘッド３１および第２の吐出ヘッド３２は、ヘッドハウジング３ａに保持されている。
【００１７】
図２は、第１の吐出ヘッド３１および第２の吐出ヘッド３２の平面図である。本実施形態では、第１の吐出ヘッド３１および第２の吐出ヘッド３２は、記録媒体Ｒと平行な面内で搬送部２による記録媒体Ｒの搬送方向とは垂直な幅手方向に延びるラインヘッドで構成されており、第１の吐出ヘッド３１は、第２の吐出ヘッド３２に対して、記録媒体Ｒの搬送方向の上流側に位置している。第１の吐出ヘッド３１および第２の吐出ヘッド３２の構造は、一般的なインクジェットヘッド（例えばピエゾ型やサーマル型）と同じ構造である。
【００１８】
図３は、第１の吐出ヘッド３１および第２の吐出ヘッド３２から吐出される各液滴および合体後の液滴の時間経過に伴う位置を模式的に示している。第１の吐出ヘッド３１は、第１の液滴３１ａを記録媒体Ｒに向けて吐出する吐出ヘッドである。一方、第２の吐出ヘッド３２は、第２の液滴３２ａを吐出して、記録媒体Ｒに着弾する前の第１の液滴３１ａと合体させる吐出ヘッドである。第１の液滴３１ａは、例えば水系のインクを凝集させる凝集剤の液滴であり、第２の液滴３２ａは、例えば水系のインクの液滴である。すなわち、第１の液滴３１ａと第２の液滴３２ａとは、種類（成分）が互いに異なる。
【００１９】
第１の吐出ヘッド３１から吐出される第１の液滴３１ａの吐出速度をｖ１（ｍ／ｓ）とし、第２の吐出ヘッド３２から吐出される第２の液滴３２ａの吐出速度ｖ２（ｍ／ｓ）としたとき、ｖ１＜ｖ２となるように、第１の吐出ヘッド３１および第２の吐出ヘッド３２の駆動が制御部（図示せず）によって制御される。これにより、第１の吐出ヘッド３１から第１の液滴３１ａを先に吐出し（第１の吐出工程）、その後、第２の吐出ヘッド３２から第２の液滴３２ａを吐出して、先に吐出された第１の液滴３１ａに記録媒体Ｒへの着弾前に合体させることが可能となる（第２の吐出工程）。合体後の液滴３３ａは、記録媒体Ｒに着弾し、記録画像の一部を構成する。
【００２０】
本実施形態のように、第１の液滴３１ａと第２の液滴３２ａとを順に吐出し、記録媒体Ｒへの着弾前にこれらを合体させることにより、凝集剤による水系のインクの凝集を、記録媒体Ｒへの着弾前に開始させる前処理を行うことができる（この場合、凝集剤は前処理剤として機能するとも言える）。これにより、記録媒体Ｒへの着弾後、インク（液滴３３ａ）が記録媒体Ｒの横方向（インクの塗布面に平行な方向）に広がって記録画像の滲みが生じたり、厚み方向（深さ方向）に浸透することが十分に抑制される。その結果、記録媒体Ｒに記録された画像の濃度低下を十分に抑制することができる。
【００２１】
しかも、記録媒体Ｒにおいて凝集剤が着弾する領域は、常にインクが着弾する領域と一致し、インクが着弾しない領域に対して凝集剤が着弾することはない。したがって、記録媒体全面に凝集剤を塗布する従来の構成に比べて、凝集剤の使用量を少なくでき、凝集剤の必要コストおよび無駄な消費を低減することができる。
【００２２】
また、記録媒体全面に凝集剤を塗布する従来の構成では、凝集剤の塗布ムラが生じると、凝集剤の塗布量が少ない領域では凝集剤による効果が得られないため、凝集剤の塗布ムラを低減する対策が必要となる。しかし、本実施形態では、凝集剤を記録媒体Ｒに塗布せずに着弾前にインクと合体させるため、そのような塗布ムラを心配する必要がなく、塗布ムラを低減する対策を講じる必要もない。
【００２３】
また、第１の吐出ヘッド３１から吐出される第１の液滴３１ａは、凝集剤の液滴であり、第２の吐出ヘッド３２から吐出される第２の液滴３２ａは、水系のインクの液滴である。この構成では、先に第１の吐出ヘッド３１から吐出された凝集剤の液滴に対して、第２の吐出ヘッド３２から吐出される水系のインクの液滴が衝突し、合体する。このように凝集剤にインクを衝突させて合体させる場合であっても、記録媒体Ｒへの着弾前にインクの凝集を進めることができるため、記録媒体Ｒに着弾した後のインクの広がりや浸透を十分に低減して、記録画像の濃度低下を十分に抑制することができる。
【００２４】
なお、第１の吐出ヘッド３１から吐出される第１の液滴３１ａは、水系インクの液滴であってもよく、第２の吐出ヘッド３２から吐出される第２の液滴３２ａは、凝集剤の液滴であってもよい。この構成では、先に第１の吐出ヘッド３１から吐出された水系のインクの液滴に対して、第２の吐出ヘッド３２から吐出される凝集剤の液滴が衝突し、合体する。このようにインクに凝集剤を衝突させて合体させる場合であっても、記録媒体Ｒへの着弾前にインクの凝集を進めることができるため、記録媒体Ｒに着弾した後のインクの広がりや浸透を十分に低減して、記録画像の濃度低下を十分に抑制することができる。
【００２５】
以上では、第１の吐出ヘッド３１および第２の吐出ヘッド３２をラインヘッドで構成した例について説明したが、シリアルヘッドで構成してもよい。図４は、第１の吐出ヘッド３１および第２の吐出ヘッド３２の他の構成を模式的に示す平面図である。第１の吐出ヘッド３１および第２の吐出ヘッド３２をキャリッジ３０に搭載し、キャリッジ３０を記録媒体Ｒの幅手方向に移動させながら、第１の吐出ヘッド３１および第２の吐出ヘッド３２から凝集剤およびインクの各液滴を吐出して、記録媒体Ｒへの着弾前に合体させることにより、記録媒体Ｒへの着弾前にインクの凝集を進めることができる。したがって、第１の吐出ヘッド３１および第２の吐出ヘッド３２がラインヘッドであってもシリアルヘッドであっても、記録媒体Ｒに着弾した後のインクの広がりや浸透を十分に抑制して、記録画像の濃度低下を十分に抑制する効果を得ることができる。
【００２６】
ところで、凝集剤の粘度をＡ（ｍＰａ・ｓ）とし、水系のインクの粘度をＢ（ｍＰａ・ｓ）としたとき、
１．５≦Ａ／Ｂ≦３．０
を満足することが望ましい。粘度比率（Ａ／Ｂ）が低いほど（例えばＡ／Ｂが１に近づくほど）、凝集剤とインクとが混ざりやすくなり、凝集剤によるインクの凝集の効率が向上する。しかし、Ａ／Ｂが低すぎると（例えばＡ／Ｂが１に近づきすぎると）、凝集剤の液滴とインクの液滴とを衝突させたときに、インクの広がりを抑えながらインクの凝集を開始させることが困難となり、インク全体について凝集の効率を向上させることが困難となる。
【００２７】
Ａ／Ｂについて上記の条件式を満足することにより、インクの液滴と凝集剤の液滴とを記録媒体Ｒへの着弾前に衝突させたときに、インクがあまり広がらない状態で凝集を開始させて、インク全体の凝集の効率を向上させることができる。これにより、記録媒体Ｒに着弾した後のインクの広がりや浸透を確実に低減することができ、記録画像の濃度低下を確実に抑制することができる。
【００２８】
〔３．実施例〕
次に、第１の吐出ヘッド３１と第２の吐出ヘッド３２とを用いて、インクと凝集剤とを記録媒体Ｒへの着弾前に合体させる具体的な実施例について説明する。なお、実施例との比較のため、比較例についても併せて説明する。ここでは、第１の吐出ヘッド３１および第２の吐出ヘッド３２は、図４で示したシリアルヘッドで構成されているとする。
【００２９】
（実施例１）
まず、記録媒体Ｒの幅手方向において、第１の吐出ヘッド３１と第２の吐出ヘッド３２との間隔を２ｍｍに設定し、第１の吐出ヘッド３１および第２の吐出ヘッド３２と記録媒体Ｒとの距離を５ｍｍに設定した。そして、第１の吐出ヘッド３１から吐出される第１の液滴の吐出速度を４ｍ／ｓに設定し、第２の吐出ヘッド３２から吐出される第２の液滴の吐出速度を８ｍ／ｓに設定した。この設定では、キャリッジ３０を３．２ｍ／ｓよりも大きい速度で記録媒体Ｒの幅手方向に移動させれば、第１の吐出ヘッド３１から吐出される第１の液滴と、第２の吐出ヘッド３２から吐出される第２の液滴とは、記録媒体Ｒへの着弾前に合体する（キャリッジ３０の移動速度が３．２ｍ／ｓであれば、第１の液滴と第２の液滴とは記録媒体Ｒへの着弾と同時に合体する）。そこで、実施例１では、キャリッジ３０の移動速度を４ｍ／ｓに設定した。
【００３０】
〈凝集剤の作製〉
以下の表１に記載の材料を、同表に記載の配合量で混合して、凝集剤Ａ〜Ｅを作製した。そして、各凝集剤Ａ〜Ｅの粘度を、自動マイクロ粘度計（株式会社アントンパール製、ＡＭＶｎ）を用いて２５℃で測定した。
【００３１】
【表１】
2020147000.tif 000003
【００３２】
〈インクの作製〉
以下の表２に記載の材料を、同表に記載の配合量で混合して、インク（ブラック）Ｋを作製した。そして、インクＫの粘度を、自動マイクロ粘度計（株式会社アントンパール製、ＡＭＶｎ）を用いて２５℃で測定した。
【００３３】
【表２】
2020147000.tif 000004
【００３４】
〈凝集剤およびインクの吐出〉
キャリッジ３０を移動速度４ｍ／ｓで記録媒体Ｒの幅手方向に移動させながら、第１の吐出ヘッド３１から凝集剤Ａの液滴を吐出速度４ｍ／ｓで吐出し、その後、第２の吐出ヘッド３２からインクＫの液滴を吐出速度８ｍ／ｓで吐出して、記録媒体Ｒへの着弾前に凝集剤Ａの液滴と合体させ、合体後の液滴を記録媒体Ｒに着弾させた。このようなインク吐出を、記録画像を構成する各画素ごとに行い、これによって記録媒体Ｒ上に２ｃｍ×２ｃｍの黒のベタ画像を記録した。このとき、記録媒体Ｒとしては、綿１００％ブロード生地を用いた。
【００３５】
〈光学濃度の測定〉
記録媒体Ｒ上に記録された黒のベタ画像の光学濃度ＯＤ（Optical Density）を、分光濃度計（X-rite社製、eXact Basic）を用いて測定した。
【００３６】
（実施例２）
凝集剤Ａを凝集剤Ｂに変更した以外は、実施例１と同様である。
【００３７】
（実施例３）
凝集剤Ａを凝集剤Ｃに変更した以外は、実施例１と同様である。
【００３８】
（実施例４）
凝集剤Ａを凝集剤Ｄに変更した以外は、実施例１と同様である。
【００３９】
（実施例５）
凝集剤Ａを凝集剤Ｅに変更した以外は、実施例１と同様である。
【００４０】
（比較例１）
凝集剤Ａを吐出せず、インクＫのみを記録媒体Ｒに吐出した以外は、実施例１と同様である。
【００４１】
（比較例２）
凝集剤Ａを先に記録媒体Ｒ上に着弾させ、その後、インクＫを記録媒体Ｒ上に着弾させた以外は、実施例１と同様である。
【００４２】
実施例１〜５、比較例１〜２の結果を表３に示す。
【００４３】
【表３】
2020147000.tif 000005
【００４４】
表３より、比較例１および２では、光学濃度ＯＤが１よりも小さく、記録媒体Ｒに記録された黒のベタ画像の濃度が低下しているのに対して、実施例１〜５では、光学濃度ＯＤが１よりも大きく、記録媒体Ｒに記録された黒のベタ画像の濃度低下が抑制されている。実施例１〜５では、凝集剤の液滴に対して水系のインクの液滴を記録媒体Ｒへの着弾前に合体させることにより、凝集剤による水系のインクの凝集が記録媒体Ｒへのインクの着弾前に始まり、これによって記録媒体Ｒに着弾した合体後のインクの広がりおよび浸透が十分に抑制されるためと考えられる。
【００４５】
特に、実施例２および３では、他の実施例１、４〜５に比べて、記録媒体Ｒ上に記録された画像の光学濃度ＯＤが高い。Ａ／Ｂが１．０以上３．０以下では、インクの液滴と凝集剤の液滴とを記録媒体Ｒへの着弾前に衝突させたときに、インクがあまり広がらない状態で凝集が始まり、これによってインク全体の凝集の効率が向上する結果、記録媒体Ｒに着弾した合体後のインクの広がりや浸透を確実に抑制できるためと考えられる。
【００４６】
（実施例６〜１０）
第１の吐出ヘッド３１からインクＫの液滴を吐出し、その後、第２の吐出ヘッド３２から凝集剤Ａ〜Ｅの液滴をそれぞれ吐出して、記録媒体Ｒへの着弾前にインクＫと合体させた以外は、実施例１〜５と同様である。すなわち、実施例６〜１０では、凝集剤とインクの吐出順序を実施例１〜５と逆にして、記録媒体Ｒに画像を記録した。実施例６〜１０の結果を表４に示す。
【００４７】
【表４】
2020147000.tif 000006
【００４８】
表４より、凝集剤とインクの吐出順序を実施例１〜５と逆にしても、記録媒体Ｒ上に記録された画像の光学濃度ＯＤについては、実施例１〜５と同様の結果が得られた。したがって、凝集剤の液滴とインクの液滴とのうち、一方を先に吐出し、他方を後に吐出して、先に吐出した液滴と記録媒体Ｒへの着弾前に合体させることにより、記録媒体Ｒに着弾した合体後のインクの広がりや浸透を十分に抑制して、記録画像の濃度低下を十分に抑制できると言える。
【００４９】
なお、本実施形態では、黒色顔料を含むインクを吐出するモノクロのインクジェット記録装置１００について説明したが、カラーのインクジェット記録装置についても、本実施形態の構成を適用することは可能である。
【００５０】
例えば、図５は、インクジェット記録装置１００の他の構成を示す説明図である。同図に示すように、インクジェット記録装置１００は、第１の吐出ヘッド３１に加えて、第２の吐出ヘッド３２を複数備え、複数の第２の吐出ヘッド３２は、第１の吐出ヘッド３１が第１の液滴（凝集剤の液滴）を吐出した後、互いに異なる色の水系のインクの液滴を第２の液滴として順に吐出して、記録媒体Ｒに着弾する前の第１の液滴と順に合体させるようにしてもよい。なお、同図では、複数の第２の吐出ヘッド３２として、イエロー（Ｙ）、マゼンタ（Ｍ）、シアン（Ｃ）、ブラック（Ｋ）の各色のインクを吐出する吐出ヘッド３２Ｙ、３２Ｍ、３２Ｃ、３２Ｋを用いた場合を示している。
【００５１】
また、図６は、インクジェット記録装置１００のさらに他の構成を示す説明図である。同図に示すように、インクジェット記録装置１００は、第１の吐出ヘッド３１および第２の吐出ヘッド３２を、異なる色に対応して複数組備え、各組において、第２の吐出ヘッド３２は、第１の吐出ヘッド３１が第１の液滴（凝集剤の液滴）を吐出した後、対応する色の水系のインクの液滴を第２の液滴として吐出して、記録媒体Ｒに着弾する前の第１の液滴と合体させるようにしてもよい。なお、同図では、各組の第２の吐出ヘッド３２として、Ｙ、Ｍ、Ｃ、Ｋの各色のインクを吐出する吐出ヘッド３２Ｙ、３２Ｍ、３２Ｃ、３２Ｋを用いた場合を示している。
【００５２】
図５および図６の構成であっても、記録媒体への着弾前に凝集剤によって水系のインクの凝集を開始させるため、記録媒体に着弾した合体後のインクの広がりや浸透を十分に抑制することができ、記録画像の濃度低下を十分に抑制することができる。
【００５３】
なお、本実施形態では、記録媒体Ｒとしてロール状のものを用いて説明したが、シート状のものを用いても、本実施形態の構成を適用することにより、本実施形態と同様の効果を得ることができる。
【産業上の利用可能性】
【００５４】
本発明は、水系のインクを記録媒体に吐出するインクジェット記録装置に利用可能である。
【符号の説明】
【００５５】
３１      第１の吐出ヘッド
３１ａ    第１の液滴
３２      第２の吐出ヘッド
３２ａ    第２の液滴
１００      インクジェット記録装置
Ｒ      記録媒体
【図１】
2020147000.tif 000007
【図２】
2020147000.tif 000008
【図３】
2020147000.tif 000009
【図４】
2020147000.tif 000010
【図５】
2020147000.tif 000011
【図６】
2020147000.tif 000012